(57)【特許請求の範囲】
【請求項１】
冷媒配管系からの冷媒と、出湯配管系の循環ポンプにより送出された水の間での熱交換を給湯熱交換器において行い、加熱された水が出湯配管系を介して貯湯タンクに送られるヒートポンプ給湯機であって、
前記出湯配管系を流れる水量を検知する流量センサを備え、
前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記出湯配管系を流れる水量の情報を前記流量センサから得、前記ヒートポンプ給湯機の運転開始後に前記貯湯タンクからの給湯の際に生じる負圧対策のための情報として利用することを特徴とするヒートポンプ給湯機。
【請求項２】
請求項１に記載のヒートポンプ給湯機であって、
前記貯湯タンクの給水配管上、または給湯配管上に流量調整弁を設け、前記ヒートポンプ給湯機の運転開始前であって、冷媒配管系からの冷媒と、出湯配管系の循環ポンプにより送出された水の間での熱交換を開始する前の段階において、前記貯湯タンクからの給湯を行った時に、前記流量センサから得た前記出湯配管系を流れる水量が設定水量となるように前記流量調整弁の開度を設定することを特徴とするヒートポンプ給湯機。
【請求項３】
前記貯湯タンクが複数直列に配列され、貯湯タンクごとに加熱された水が出湯配管系を介して送られるようにされた請求項２に記載のヒートポンプ給湯機であって、
出湯配管系ごとに、前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記流量センサから得た前記出湯配管系を流れる水量が設定水量となるように前記流量調整弁の開度を求めるとともに、
計測した複数の前記流量調整弁の開度に応じて最終的に前記流量調整弁の開度を決定することを特徴とするヒートポンプ給湯機。
【請求項４】
請求項１に記載のヒートポンプ給湯機であって、
前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記出湯配管系を流れる水量について予め複数の設定流量を定め、当該設定流量の時の前記循環ポンプの回転数を把握し、給湯開始後に計測された前記水量に応じて前記把握した循環ポンプの回転数をもとめ、当該回転数から定めた回転数に前記循環ポンプの回転数を決定することを特徴とするヒートポンプ給湯機。
【請求項５】
請求項４に記載のヒートポンプ給湯機であって、
前記循環ポンプはＰＷＭインバータにより制御されるモータにより駆動されており、前記循環ポンプの回転数に代えて前記ＰＷＭの値を使用することを特徴とするヒートポンプ給湯機。
【請求項６】
冷媒配管系からの冷媒と、出湯配管系の循環ポンプにより送出された水の間での熱交換を給湯熱交換器において行い、加熱された水が出湯配管系を介して貯湯タンクに送られるヒートポンプ給湯機の運転方法であって、
前記出湯配管系を流れる水量を検知する流量センサを備え、前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記出湯配管系を流れる水量の情報を前記流量センサから得、前記ヒートポンプ給湯機の運転開始後に前記貯湯タンクからの給湯の際に生じる負圧対策のための情報として利用することを特徴とするヒートポンプ給湯機の運転方法。
【請求項７】
請求項６に記載のヒートポンプ給湯機の運転方法であって、
前記貯湯タンクの給水または給湯配管上に流量調整弁を設け、前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記流量センサから得た前記出湯配管系を流れる水量が設定水量となるように前記流量調整弁の開度を設定することを特徴とするヒートポンプ給湯機の運転方法。
【請求項８】
請求項６に記載のヒートポンプ給湯機の運転方法であって、
前記ヒートポンプ給湯機の運転開始前であって、冷媒配管系からの冷媒と、出湯配管系の循環ポンプにより送出された水の間での熱交換を開始する前の段階において、
前記貯湯タンクからの給湯を行った時に、前記出湯配管系を流れる水量について予め水量と前記循環ポンプの回転数の関係を把握し、給湯開始後に計測された前記水量に応じて前記把握した循環ポンプの回転数を基に定めた回転数で強制運転することを特徴とするヒートポンプ給湯機の運転方法。
【発明の詳細な説明】
【技術分野】
【０００１】
本発明はヒートポンプ給湯機及び運転方に係り、特に給湯の急速な増減に際しても安定に正常運転することができるヒートポンプ給湯機及び運転方法に関する。
【背景技術】
【０００２】
一般的なヒートポンプ給湯機の構成例を図２に示すように、ヒートポンプ給湯機１００は、ヒートポンプユニット１と貯湯タンク２で構成されている。このうち、ヒートポンプユニット１は、冷媒配管系と出湯配管系で構成されており、冷媒配管系と出湯配管系の間に設けられた給湯熱交換器７において冷媒と水の間での熱交換を行う。
【０００３】
ヒートポンプユニット１の冷媒配管系は、圧縮機６と、給湯熱交換器７と、膨張弁８と、プロペラファン９により冷却される蒸発器５を、冷媒配管３で接続して構成されたものであり、ヒートポンプユニット１の出湯配管系は、貯湯タンク２と、循環ポンプ１４と、給湯熱交換器７を、出湯配管４で接続して構成されたものである。
【０００４】
上記構成により、蒸発器５において空気中の熱を冷媒が吸収し、圧縮機（コンプレッサ）６で圧縮されてさらに高温になり、給湯熱交換器７における熱交換によって高温の冷媒が熱を伝えて、水を設定温度に沸かす。設定温度に沸かされた水は、貯湯タンク２に貯湯される。なお給湯熱交換器７において熱を放出した冷媒は再度蒸発器５に送られ、再び熱を吸収しにいく。
【０００５】
上記のように構成されたヒートポンプ給湯機の一例として特許文献１のものが知られている。
【先行技術文献】
【特許文献】
【０００６】
【特許文献１】特開２００６−２５８３７５号公報
【発明の概要】
【発明が解決しようとする課題】
【０００７】
基本的には上記のように構成されるヒートポンプ給湯機であるが、特に大容量設備などの場合には、給湯熱交換器７と貯湯タンク２の間を接続している出湯配管４が長くなる場合がある。例えば貯湯タンク２を収納する貯湯タンクユニットを、複数直列に設置して貯湯ユニットを構成する場合にこのようになりやすい。
【０００８】
係る構成では、給湯タンクから給湯した時、配管などの抵抗によって負圧が発生し、貯湯タンク２と接続している給湯熱交換器７の水も吸引してしまう。
【０００９】
この吸引状態においてヒートポンプユニット１が運転されていると、設定流量よりも多くの流量が給湯熱交換器７に流れてしまうが、ヒートポンプユニット１の沸き上げ制御では設定流量に合わせるように働くために循環ポンプ１４の回転数を下げるように働く。
【００１０】
然るに循環ポンプ１４の回転数を下げている状態で給湯が低下すると、給湯熱交換器７の流量は負圧による吸引がなくなり設定流量以下となってしてしまう。設定流量以下となった給湯熱交換器７は熱量過大で高温となって、エラー発報に至り、あるいは正常な運転ができなくなる。
【００１１】
以上のことから本発明においては、給湯の急速な増減に際しても安定に正常運転することができるヒートポンプ給湯機及び運転方法を提供することを目的とする。
【課題を解決するための手段】
【００１２】
以上のことから本発明においては、冷媒配管系からの冷媒と、出湯配管系おいて循環ポンプにより送出された水の間での熱交換を給湯熱交換器において行い、加熱された水が出湯配管系を介して貯湯タンクに送られるヒートポンプ給湯機であって、出湯配管系を流れる水量を検知する流量センサを備え、ヒートポンプ給湯機の運転開始前の段階において、流量センサから出湯配管系を流れる水量の情報を得、貯湯タンクからの給湯の際に生じる負圧対策のための情報として利用するものである。
【発明の効果】
【００１３】
本発明によれば、給湯の急速な増減に際しても安定に正常運転することができる。
【図面の簡単な説明】
【００１４】
【図１】本発明の実施例１に係る処理フローを示す図。
【図２】一般的なヒートポンプ給湯機の全体構成を示す図。
【図３】正常な状態におけるヒートポンプ給湯機の各部状態を示す図。
【図４】負圧発生時におけるヒートポンプ給湯機の各部状態を示す図。
【図５】負圧発生時におけるヒートポンプ給湯機の各部状態を示す図。
【図６】実施例１に係るヒートポンプ給湯機の構成例を示す図。
【図７】実施例１の時の各部状態を示す図。
【図８】本発明の実施例２に係る処理フローを示す図。
【図９】実施例２の時の各部状態を示す図。
【図１０】本発明の実施例３に係る処理フローを示す図。
【発明を実施するための形態】
【００１５】
以下本発明の実施例について、図面を用いて説明する。
【００１６】
なお以下においては、まず従来における事象を説明し、その後に本発明の事象を説明することで両者の相違の対比説明を行うことにする。
【００１７】
図３は、正常な状態におけるヒートポンプ給湯機の各部状態を示している。この図では上から順に、ヒートポンプ給湯機運転状態、貯湯タンク２からの給湯量（Ｌ／ｍｉｎ）、給湯熱交換器７内流量（Ｌ／ｍｉｎ）、循環ポンプ１４の回転指令、給湯熱交換器内温度（°Ｃ）、エラーフラグまたは高温異常アラームの発報状態をそれぞれ示している。
【００１８】
正常な状態では、図３に示すように時刻ｔ０においてヒートポンプ給湯機の運転が開始（ＯＮ）され、これに応じて時間遅れの後に給湯熱交換器７内流量が例えば５（Ｌ／ｍｉｎ）まで上昇し、循環ポンプ１４の回転指令が１００％に増大し、給湯熱交換器内温度が例えば定格の９０（°Ｃ）に達する。
【００１９】
これに対し、時刻ｔ１において急速な給湯要求があり貯湯タンク２から例えば１８（Ｌ／ｍｉｎ）の給湯を開始したものとする。この場合には、給湯熱交換器７と貯湯タンク２の間を接続している出湯配管４の長さは、発生負圧により貯湯タンク２と接続している給湯熱交換器７の水も吸引してしまうような事象が発生しないレベルのものであった。その後時刻において急速な給湯停止要求があったが、給湯開始から給湯終了後までの期間において図３の各部状態にエラーフラグまたは高温異常アラームの発報につながるような事象は発生しない。
【００２０】
図４は、負圧が発生し、貯湯タンク２と接続している給湯熱交換器７の水も吸引してしまう状態におけるヒートポンプ給湯機の各部状態を示している。この図で取り上げる各部状態は図３のそれと同じである。また、ヒートポンプ給湯機運転状態は図３と同じであり、そのほかの各部状態も時刻ｔ１までの動きは同じ状態を示している。したがって、以下の説明は時刻ｔ０以降について行う。
【００２１】
この場合にはまず、給湯開始後の負圧発生による回り込みによって給湯熱交換器７の水も吸引し、区間Ｔ１において給湯熱交換器７内流量が設定流量の５（Ｌ／ｍｉｎ）を上回り、例えば６（Ｌ／ｍｉｎ）になった。この過流量状態は、制御装置が流量を設定流量の５（Ｌ／ｍｉｎ）に合わせようとして、循環ポンプ１４の回転指令を低減させることにより解消される。この結果給湯熱交換器７内流量は設定流量の５（Ｌ／ｍｉｎ）に戻るが、この状態は循環ポンプ１４の回転指令が例えば２５％まで低減することで保たれる。この区間がＴ２である。なお、給湯中はこの状態が維持されている。
【００２２】
他方時刻ｔ２において給湯が停止されると、負圧解消し、回り込みが終了する。このとき、給湯熱交換器７内流量は一時的に低減して例えば２（Ｌ／ｍｉｎ）程度になるが、設定流量（５Ｌ／ｍｉｎ）が実流量（２Ｌ／ｍｉｎ）を上回っているため指令値１００％に向けて増加させようとする。結果として給湯熱交換器７内流量も設定流量の５（Ｌ／ｍｉｎ）に向けて増大する。この区間がＴ３で示されている。
【００２３】
本発明において問題となる点は、この給湯停止直後の区間Ｔ３における給湯熱交換器内温度の一時的上昇である。過渡的な給湯熱交換器内流量低減状態により、給湯熱交換器内の温度が上昇し、図の例では定格の９０（°Ｃ）を超えて１２０（°Ｃ）に達したことを示している。この温度は高温異常を検知する検知レベルに近いものであり、条件次第では高温異常の報知が行われる可能性が高い。
【００２４】
図４の事例では、ポンプ回転指令が１００％に回復し、その結果給湯熱交換器内温度の上昇は一時的な現象にとどまり、高温異常にまでは至らなかった事例を示している。しかしながら、高温異常を検知する検知レベルを超える場合も想定され、この場合の事象が図５に示されている。
【００２５】
図５の事例では、過渡的な給湯熱交換器内流量低減状態により、給湯熱交換器内の温度が上昇し、図の例では１２５（°Ｃ）に達し、高温異常を検知する検知レベルを超過したことを示している。この場合には、高温異常アラームが発報され、ヒートポンプ給湯機運転を停止状態とする。
【００２６】
上記した状態を回避するため、本発明においては実施例１、実施例２、実施例３の提案を行う。実施例１はヒートポンプ給湯機の稼働開始前の例えば据え付け時に対策を行うものであり、実施例２、実施例３はさらに実運転の中で対策するものである。
【００２７】
これらの実施例に共通の概念は、「冷媒配管系からの冷媒と、出湯配管系おいて循環ポンプにより送出された水の間での熱交換を給湯熱交換器において行い、加熱された水が出湯配管系を介して貯湯タンクに送られるヒートポンプ給湯機であって、出湯配管系を流れる水量を検知する流量センサを備え、ヒートポンプ給湯機の運転開始前の段階において、流量センサから出湯配管系を流れる水量の情報を得、貯湯タンクからの給湯の際に生じる負圧対策のための情報として利用する」というものである。
【実施例１】
【００２８】
図６は、実施例１に係るヒートポンプ給湯機の構成例を示す図である。図２の構成と比較すると、出湯配管系に給湯熱交換器７内を流れる流量（給湯熱交換器内流量）を計測する流量センサＦ１を設け、かつ貯湯タンク２の給水配管２０あるいは給湯配管２１のいずれかに流量調整弁Ｖ１、Ｖ２と、給水または給湯の流量を計測する流量センサＦ２、Ｆ３を設けた点で相違する。流量調整弁と流量センサはどちらの位置に設けてもよいが、以下の説明ではＶ１、Ｆ２の例で行う。
【００２９】
実施例１の対策は、図１に示すフロー図に従って実行され、かつこの時のヒートポンプ給湯機の各部状態が図７に示されている。なお図７の各部状態には流量調整弁Ｖの開度が追加表示されている。
【００３０】
図１の処理は、給湯器運転停止の状態として、ヒートポンプ給湯機の稼働開始前の例えば据え付け時に実行される。図７の時刻ｔ０以前に行われている。図１の最初の処理ステップＳ１では、給湯流量を最大にして給湯熱交換器７内を流れる流量（給湯熱交換器内流量）を計測する流量センサＦ１により循環流量を計測する。
【００３１】
次に処理ステップＳ２では、給湯熱交換器内流量が設定流量以下であるか判断し、設定流量以上の流量が計測されているときには処理ステップＳ３に移る。ここで、設定流量以上の流量があるということは、発生負圧により貯湯タンク２と接続している給湯熱交換器７の水も吸引してしまう回り込みの現象が発生しているということである。
【００３２】
処理ステップＳ３では、図６の流量調整弁Ｖ１の開度を、センサＦ１が検知する給湯熱交換器内流量が設定流量になるまで絞りこむ。処理ステップＳ４では、設定流量になる時の流量調整弁Ｖ１の開度を記憶する。
【００３３】
なお、貯湯タンク２を収納する貯湯タンクユニットを、複数直列に設置して貯湯ユニットを構成（給湯熱交換器としては、複数並列）する場合には負圧が発生しやすくなるが、この場合にはさらに処理ステップＳ５の処理を行うのがよい。この構成の場合には、複数直列に設置した貯湯タンク２ごとに、その給湯熱交換器内流量と流量調整弁Ｖ１の開度を計測記憶して、最終的に流量調整弁Ｖ１の開度を平均値に基づいて調整するのがよい。処理ステップＳ６では、上記一連の初期流量調整を終了する。
【００３４】
次に図１の時の各部状態を図７で説明する。まず給湯機運転開始時刻ｔ０前の時刻ｔ０１において、貯湯タンク２から給湯し、この時の給湯熱交換器内流量を確認する。この例では、区間Ｔ１０に表れているように、貯湯タンク２から最大給湯により例えば２５（Ｌ／ｍｉｎ）給湯した時、給湯熱交換器内流量は設定流量（５Ｌ／ｍｉｎ）以上の７（Ｌ／ｍｉｎ）が負圧現象により流れている。
【００３５】
区間Ｔ１１では、流量調整弁Ｖ１の開度を８０％に絞り込んだ結果として、設定流量の５（Ｌ／ｍｉｎ）が達成できたことを示している。なおこの流量調整弁Ｖ１の開度絞り込みにより、給湯流量は１５（Ｌ／ｍｉｎ）とされる。
【００３６】
区間Ｔ１２は、貯湯タンク２を収納する貯湯タンクユニットを、複数直列に設置して貯湯ユニットを構成（給湯熱交換器としては、複数並列）する場合に、処理ステップＳ５の処理を行った結果として、最終的に流量調整弁Ｖ１の開度を平均値（ここでは７０％とする）に基づいて調整した時の状態を表している。この場合には流量調整弁Ｖ１の開度絞り込みにより、給湯流量は１２（Ｌ／ｍｉｎ）とされる。なお複数台接続していなければ、１５（Ｌ／ｍｉｎ）とされる。
【００３７】
以上説明した運転開始前の対応により、運転開始後に負圧により回り込み現象は発生しない。但し、運転開始後の最大給湯流量は、最終的に流量調整弁Ｖ１の開度が平均値（７０％）に調整された結果として１２（Ｌ／ｍｉｎ）とされる。またポンプ運転回転数指令も例えば９０％にされて運用される。
【００３８】
実施例１の手法は要するに、設置された状態の種種状況において、ヒートポンプ給湯機内の流量を負圧の発生しない設定流量以下となるように、給水側もしくは給湯側の流量を流量調整弁の開度で調整し、またその開度を記憶することで恒久的に正常な運転ができるようにしたものである。また、ヒートポンプ給湯機を複数並列配置したシステムにおいては、記憶した流量調整弁の開度以下で再度平均値に調整することにより複数の貯湯タンクでの残湯量のばらつきを抑えることが可能になる。
【実施例２】
【００３９】
図８は実施例２に係る処理フロー図であり、図９はこの時の各部状態を示している。まず、図８の処理フローから説明する。このフロー図は、ヒートポンプ給湯機の運転開始前における処理（処理ステップＳ１からＳ１６）と、運転開始後の処理（処理ステップＳ１７からＳ２３）に分かれている。なお、図６の構成と同様に、出湯配管系に給湯熱交換器７内を流れる流量（給湯熱交換器内流量）を計測する流量センサＦ１を設けている。
【００４０】
ヒートポンプ給湯機の運転開始前における処理では、貯湯タンク２から給湯させずに、循環ポンプの回転指令とそのときの給湯熱交換器内流量の関係を把握する。具体的には、最初の開始条件として給湯運転停止、給湯停止状態とする。
【００４１】
図８の最初の処理ステップＳ１１では循環ポンプ１４を設定値の流量で回転させる。これは図９の運転開始時刻ｔ０以前の時刻ｔ０１において、循環ポンプ１４の回転数指令を例えば２０％にしたものである。ここで設定値の流量で回転とは、設計段階で事前に把握している関係であり、例えば回転数が２０％の場合に流量が１（Ｌ／ｍｉｎ）になるといった事前把握の情報である。
【００４２】
処理ステップＳ１２では、流量センサＦ１により計測した給湯熱交換器内流量が、設定値の流量で所定時間安定に流れることを確認し、流れない場合、処理ステップＳ１３において設定値の流量である１（Ｌ／ｍｉｎ）になるまで、回転数を調整する。調整後の回転数が例えば２５％であったなら、処理ステップＳ１４において、新たに得られた流量と回転数の対応関係を記憶する。なお、処理ステップＳ１２で安定が確認される場合には、初期の計画数値を記憶することになる。
【００４３】
上記処理ステップＳ１１から処理ステップＳ１４までの一連の処理は、条件（設定値の流量で回転）を変更して、予定したすべての流量についてこれを実現する回転数を実際に把握する作業を繰り返し、処理ステップＳ１６では準備したすべての条件に付いて確認し終えたことを判断する。図９の区間Ｔ２１が流量と回転数の対応を確認した時期を表している。ここでは例えば定格設定流量が５（Ｌ／ｍｉｎ）であり、１（Ｌ／ｍｉｎ）毎に、その時々の回転数を計測する。
【００４４】
図８の処理フローの後半は、運転開始後に実運用の中で行われる。処理ステップＳ１７は、図９時刻ｔ０の給湯器運転開始、処理ステップＳ１８は、図９時刻ｔ１の給湯開始である。この事例では、給湯開始と同時に負圧による回り込みが生じ、給湯熱交換器内流量が増大したものとする。
【００４５】
図９において、給湯開始時刻ｔ１において給湯熱交換器内流量が６（Ｌ／ｍｉｎ）に増大した。給湯熱交換器内流量増加とその後の回転数指令の低下は、図４、図５などで説明した通りのものであり、区間Ｔ２２に示すように回転数が２５％であるにもかかわらず、定格設定流量の５（Ｌ／ｍｉｎ）が流れている。これは明らかに、当初計測した流量と回転数の関係を逸脱している。
【００４６】
図８の処理ステップＳ１９では、区間Ｔ２２における流量と回転数の関係を不一致と判断し、処理ステップＳ２０において、設定値の流量で記憶した回転数の例えば５０％でポンプを回転させるように指令を与える。例えば流量が５（Ｌ／ｍｉｎ）の時の回転数が１００％であることが確認できているのであれば、半分の回転数である５０％での運転とする。図９の区間Ｔ２３がこの運転状態を表している。
【００４７】
処理ステップＳ２０では、設定値の流量で記憶した回転数と合致していること、もしくは設定流量以下の流量が流れていることを確認する。この条件が成立する場合には正常運転に復帰したと考えられ、処理ステップＳ２２に移り運転継続する。
【００４８】
図９において、区間Ｔ２３では５０％回転数に強制運転している。その後時刻ｔ２になって貯湯タンク２からの給湯が停止され、この時に図４、図５に示したと同じ理由での事象が生じる。つまり、時刻ｔ２において給湯が停止されると、負圧解消し、回り込みが終了し、給湯熱交換器７内流量は一時的に低減して例えば２（Ｌ／ｍｉｎ）程度になるが、設定流量（５Ｌ／ｍｉｎ）が実流量（２Ｌ／ｍｉｎ）を上回っているため指令値１００％に向けて増加させようとし、結果として給湯熱交換器７内流量も設定流量の５（Ｌ／ｍｉｎ）に向けて増大する。
【００４９】
この事象について、図４の場合には、回転数が２５％から１００％に向けての増加となり、結果として熱交換器内温度が高温異常に近くなるまで上昇する恐れがあった。図５の事例では、１００％に至る前に高温異常になり、ヒートポンプ給湯機を停止せざるを得ない事態に陥った。
【００５０】
実施例２の場合には、強制回転数を５０％としているため、回転数が５０％から１００％に向けての増加となる。このため、１００％までの変化幅が小さくてよく、短時間の昇速期間で済むことになる。この例であっても熱交換器内温度が加熱されることにはなるが、より短期間で１００％に至ることから、温度上昇は抑制され、高温異常検知レベルに到達することはない。図示の例では、１１０（°Ｃ）程度までの上昇で終わらせることができる。
【００５１】
以上の実施例２は、負圧による水吸引が発生した時に対して、予めヒートポンプ給湯機内の流量センサと循環ポンプで、設置された状態の流量とポンプ回転数を計測して記憶させて、負圧による水吸引が発生した場合には設定流量以上の流量が流れることをフラグとし、記憶した設定流量に対するポンプ回転数の５０％で回転させる。また、記憶した流量とポンプ回転数に合致した時、もしくは設定流量以下となった場合には通常運転に復帰することで、給湯が終了した時に起きる負荷をへらすことができ、運転を継続することができる。
【実施例３】
【００５２】
図１０は本発明の実施例３に係る処理フローを示す図である。実施例３は、基本的に実施例２と同じ考え方のものであり、大きな相違点は循環ポンプの回転数に着目していたものを、ＰＷＭインバータ制御されるモータで駆動される循環ポンプを念頭に、ＰＷＭの値を代用したものである。従って、図１０において図８の処理風呂の内容が上記観点で相違するものには記号「Ａ」を伏して区別している。
【００５３】
なお、処理ステップＳ３０、Ｓ３１はＰＷＭインバータ制御されるモータで駆動される循環ポンプに特有のものであり、処理ステップＳ３０の条件が成立するときには、記憶したポンプのＰＷＭ値に強制的に変更することで、事実上５０％回転数運転したと同じ状態とする。
【符号の説明】
【００５４】
１：ヒートポンプユニット
２：貯湯タンク
３：冷媒配管
４：出湯配管
５：蒸発器
６：圧縮機
７：給湯熱交換器
８：膨張弁
９：プロペラファン
１４：循環ポンプ
２０：給水配管
２１：給湯配管
１００：ヒートポンプ給湯機
Ｆ１、Ｆ２、Ｆ３：流量センサ
Ｖ１、Ｖ２：流量調整弁
【図１】
0006339509.tif 000002
【図２】
0006339509.tif 000003
【図３】
0006339509.tif 000004
【図４】
0006339509.tif 000005
【図５】
0006339509.tif 000006
【図６】
0006339509.tif 000007
【図７】
0006339509.tif 000008
【図８】
0006339509.tif 000009
【図９】
0006339509.tif 000010
【図１０】
0006339509.tif 000011